Podtech/llm-jp-corpus-v4-ja_patent huggingface dataset:
(57)【要約】【課題】体温計測に用いられる体温計は脇下に挟むか、口中の舌下に挿入して計測するために、被測定者がある一定時間、脇下に挟んだままとしているか、口中の舌下に挿入したままの状態を保っていなければならない。したがって、被測定者が就寝したままの状態で体温を計測する事ができなかった。【解決手段】電子体温計に、ベルトなどの補助具を装備するか、または肌着等への留め具を装備する。これにより、体表面より深部温度が計測可能な部位、すなわち、頭部、胸部、腹部などの深部臓器を有する部位の体表面に装着することを可能とし、被測定者が就寝したままでも体温の計測が可能となる。【選択図】図１
2005201877.tif 000002
【特許請求の範囲】
【請求項１】
頭部、胸部、腹部などの深部臓器を有する部位の体表面に装着することを特徴とする電子体温計。
【請求項２】
体表面に装着するための補助具を装備したことを特徴とする請求項１記載の電子体温計。
【請求項３】
体表面に装着するための補助具を装備する代わりに、肌着等を利用し体表面に装着することを特徴とする請求項１記載の電子体温計。
【発明の詳細な説明】
【技術分野】
【０００１】  本発明は、就寝したままの状態で深部体温を計測する温度計に関する。
【背景技術】
【０００２】  従来、体温計測に用いられる体温計は脇下に挟むか、口中の舌下に挿入して計測するために、図２に示すような形状である。このため体温を計測する場合は、被測定者がある一定時間、脇下に挟んだままとしているか、口中の舌下に挿入したままの状態を保っていなければならない。【０００３】  また、特開平１１−４７１３６号公報に開示されているように、体温計を腕輪型とし、センサー部分を上腕の内側に当てて就寝し、就寝中の深部温度を計測する方法が提案されている。
【特許文献１】特開平１１−４７１３６号公報
【発明の開示】
【発明が解決しようとする課題】
【０００４】  しかしながら、脇下に挟むか、口中の舌下に挿入して計測する体温計では、被測定者が就寝したままの状態で体温を計測する事ができなかった。【０００５】  また、特開平１１−４７１３６号公報に開示されている腕輪型の体温計であっても、上腕が身体より離れてしまえば、正確に体温を計測する事ができず、就寝したままで体温を計測する事が困難であった。【０００６】  そこで、本発明は、かかる従来技術の課題を解決するためになされたものであって、就寝したままで体温を計測できる体温計を提供することを課題とする。
【課題を解決するための手段】
【０００７】  以上の課題を解決するために、第一発明は、脇下や舌下ではなく、体表面より深部温度が計測可能な部位、すなわち、頭部、胸部、腹部などの深部臓器を有する部位の体表面に装着することを特徴とする電子体温計である。【０００８】  また、第二発明は、体表面に装着するための補助具を装備したことを特徴とする電子体温計である。【０００９】  また、第三発明は、体表面に装着するための補助具の代わりに、肌着等を利用し体表面に装着することを特徴とする電子体温計である。
【発明の効果】
【００１０】  第一発明によれば、脇下や舌下ではなく、対表面より深部温度が計測可能な部位、すなわち、頭部、胸部、腹部などの深部臓器を有する部位の体表面に装着する事によって、被測定者が就寝したままの状態で体温を計測できるようになる。また第二発明および第三発明によれば、補助具や肌着を利用して体表面へ装着する事が可能となる。
【発明を実施するための最良の形態】
【００１１】  この発明の一実施形態を、図１に示す。
電子体温計の本体１に、体へ装着するためのベルト４が設けられている。【００１２】「実施形態の効果」
この実施形態によれば、感温部３を具備した電子体温計１をベルト４によって体へ装着することが可能である。【００１３】「他の実施形態」
図１の実施形態では、体へ装着するためのベルト４を体温計が装備していたが、他の実施形態では、ベルト等を装備せず、肌着等への留め具を装備し、肌着等により体へ装着することを可能にしたものでも良い。
【産業上の利用可能性】
【００１４】  本発明は、被測定者が就寝した状態でも体温を計測できるので、婦人体温計での効果が期待できる。婦人体温計は基礎体温を計測する体温計であるが、基礎体温とは、最も安静な状態の体温なので、本来であれば睡眠中の体温である。したがって本発明により本来の基礎体温を計測する事ができる。【００１５】  また、本発明を入院患者の体温計測に利用する事により、看護士による毎朝の検温業務を無くす事が可能となる。したがって看護士の業務改善、また入院患者も起床せずに検温を済ませることが可能となる。【００１６】  さらに本発明を自宅介護利用する事により、介護者の労働を緩和する事に役立てることが可能である。
【図面の簡単な説明】
【００１７】
【図１】この発明の代表的な実施例である電子体温計の外観を示す図である。
【図２】従来例による電子体温計の外観を示す図である。
【符号の説明】
【００１８】１  電子体温計本体
２  ＬＣＤ温度表示部
３  感温部
【図１】
2005201877.tif 000003
【図２】
2005201877.tif 000004
(57)【要約】【課題】従来のリレー式電源スイッチの切り替えステータス取得回路においては、モニタ用リレーと電源切替用リレーの最低駆動電圧の差などにより正常にステータスを検出出来ないという問題があった。【解決手段】内部電源ライン・外部電源ラインに電圧を加え、スイッチ８を閉じる。リレー制御ライン６に信号を送り、電源切替用リレー１を端子２側に切り替える。この時フォトカプラ７の入力側には外部電源ライン→ダイオード５→電源スイッチ４→端子２を通じて＋２８Ｖが加わる為、フォトカプラ７はＯＮとなり、電圧モニタ９はＬＯレベルとなる。一方、リレー制御ライン６に逆極性の信号を加えて電源スイッチ４を内部側端子３側に切り替えた場合、機器電源ラインは内部電源に接続される。この時端子２はオープンとなり、フォトカプラ７はＯＦＦとなる為、電圧モニタ９はＨＩレベルとなる。【選択図】  図１
2005020965.tif 000002
【特許請求の範囲】
【請求項１】
内部電源入力に接続されている内部側端子と、フォトカプラを通じて電圧モニタに接続されているモニタ用端子と、外部電源入力及び機器電源ライン出力に接続され、前記内部側端子と前記モニタ用端子の何れか一つを選択する電源スイッチとを備え、前記外部電源入力と前記電源スイッチとの間に設けられたスイッチは、前記電源スイッチが前記モニタ用端子を選択した時は短絡し、前記電源スイッチが前記内部側端子を選択した時は開放することを特徴とするリレー式電源スイッチの切り替えステータス取得回路。
【発明の詳細な説明】
【０００１】
【発明の属する技術分野】
本発明はリレー式電源スイッチの切り替えステータス取得回路に関する。
【０００２】
【従来の技術】
特許文献１には通信線路監視方式が記載されている。この通信線路監視方式は、通信線路を通じて結合する１つの両端局には各１個のホトカプラを設け、また何れか一方の端局には該端局からの電源で点灯する発光器により照射される太陽電池と定電流回路を備えてなり、前記通信線路、各ホトカプラ、太陽電池及び定電流回路は直列接続されて直流閉回路を構成し、通信線路の遮断時に前記各ホトカプラより線路断検出信号を出力させるようにしてなる構成を有している。上記構成を有することにより、特許文献１記載の通信線路監視方式はアースに対して極めて絶縁性が高く、かつ簡単化した回路構成をなし得ることが出来る。
【０００３】
しかしながら特許文献１記載の通信線路監視方式は通信線路遮断の障害を検出することは出来るが、全く同じ内容（電圧・電流が同じ）の２つの信号についてリレーがどちらの信号を選択・伝達しているかの判別を行うことは出来ない。
【０００４】
次に図３は従来のリレー式電源スイッチの切り替えステータス取得回路の回路図である。１１は電源切替用リレー、１２は外部側端子、１３は内部側端子、１４は電源スイッチ、１５は電源瞬断防止ダイオード、１６はリレー制御ライン、１７はモニタ用リレー、１８はスイッチである。
【０００５】
【特許文献１】
特開昭５８−３４６４３号公報
【０００６】
【発明が解決しようとする課題】
上記従来のリレー式電源スイッチの切り替えステータス取得回路において、電源切替用リレー１１はサイズが大きく、重量の制限から必要最小限の個数しか使用することが出来ない。よってモニタ用リレー１７は小型の信号用リレーを用いることとなるが、電源切替用リレー１１との最低駆動電圧の違いにより、リレー制御ラインの信号電圧が低下した場合、駆動電圧の低いモニタ用リレー１７のみが動作する状態が発生してしまう。この場合、電源切替用リレー１１が切り替わっていないのにもかかわらず、モニタ用リレー１７の動作により電源が切り替わったステータスが検出されるという問題がある。
【０００７】
また、電源切替用リレー１１は切替時の逆起電力が大きい為、逆電圧がモニタ用リレー１７に伝わり、モニタ用リレー１７が誤作動してしまうという問題がある。
【０００８】
【課題を解決するための手段】
本発明のリレー式電源スイッチの切り替えステータス取得回路は、内部電源入力に接続されている内部側端子と、フォトカプラを通じて電圧モニタに接続されているモニタ用端子と、外部電源入力及び機器電源ライン出力に接続され、前記内部側端子と前記モニタ用端子の何れか一つを選択する電源スイッチとを備え、前記外部電源入力と前記電源スイッチとの間に設けられたスイッチは、前記電源スイッチが前記モニタ用端子を選択した時は短絡し、前記電源スイッチが前記内部側端子を選択した時は開放することを特徴とする。
【０００９】
【発明の実施の形態】
図１は本発明のリレー式電源スイッチの切り替えステータス取得回路の実施形態を示す回路図である。１は電源切替用リレー、２はモニタ用端子、３は内部側端子、４は電源スイッチ、５は電源瞬断防止ダイオード、６はリレー制御ライン、７はフォトカプラ、８はスイッチ、９は電圧モニタである。
【００１０】
次に本実施形態の動作の説明を行う。まず内部電源ライン・外部電源ラインに電圧（＋２８Ｖ）を加え、スイッチ８を閉じる。リレー制御ライン６に信号を送り、電源切替用リレー１を端子２側に切り替える。この状態では内部電源から切り離されており、機器電源ラインには外部電源のみ接続されている。
【００１１】
この時フォトカプラ７の入力側には外部電源ライン→ダイオード５→電源スイッチ４→端子２を通じて＋２８Ｖが加わる為、フォトカプラ７はＯＮとなり、電圧モニタ９はＬＯレベルとなる。
【００１２】
一方、リレー制御ライン６に逆極性の信号を加えて電源スイッチ４を内部側端子３側に切り替えた場合、機器電源ラインは内部電源に接続される。また、この際スイッチ８を開放する。この時端子２はオープンとなり、フォトカプラ７はＯＦＦとなる為、電圧モニタ９はＨＩレベルとなる。
【００１３】
図２は本実施形態の動作論理図である。
【００１４】
【発明の効果】
以上のように本発明のリレー式電源スイッチの切り替えステータス取得回路においては、従来においてモニタ用のリレーを用いていたものをフォトカプラとしたことにより、最低駆動電圧の差や切替時の逆起電力に起因する誤動作を防ぐことができ、信頼性が高まるという効果がある。
【図面の簡単な説明】
【図１】本発明の実施形態を示す回路図である。
【図２】本実施形態の動作論理図である。
【図３】従来技術を示す回路図である。
【符号の説明】
１  電源用リレー
２  モニタ用端子
３  内部側端子
４  電源スイッチ
５  電源瞬断防止ダイオード
６  リレー制御ライン
７  フォトカプラ
８  スイッチ
９  電圧モニタ
【図１】
2005020965.tif 000003
【図２】
2005020965.tif 000004
【図３】
2005020965.tif 000005
(57)【要約】【課題】従来のプラスチックマグネットのロータを有するモーターは、軸にローレット加工してプラスチックマグネットを一体成形して構成しているが、軸とプラスチックマグネットは温度による膨張率が異なり、ローターの温度変化によりローレット加工の凹凸部の角に応力集中が起きプラスチックマグネットに割れが入り軸の固定が緩む課題があった。【解決手段】軸６にプラスチックマグネット７を一体成形した構造のロータ２を有するモーターにおいて、プラスチックマグネット７が一体成形されて固着される軸６に軸方向に長い凹部又は凸部を設けたものである。【選択図】          図１
2005020974.tif 000002
【特許請求の範囲】
【請求項１】
軸にプラスチックマグネットを一体成形した構造のロータを有するモーターにおいて、プラスチックマグネットが一体成形されて固着される軸部に軸方向に長い形状の凹部又は凸部を設けたことを特徴とするモーター。
【請求項２】
前記軸に設けられた凹部又は凸部の角部をＲ又は丸み形状としたことを特徴とする請求項１に記載のモーター。
【請求項３】
前記軸一体成形されるプラスチックマグネット７のボス部端面の位置は軸に形成された前記凹部又は凸部の端部からの距離がボス部の厚み以上の長さを確保する位置に形成されていることを特徴とする請求項１又は２に記載のモーター。
【請求項４】
請求項１から請求項３のいずれかに記載のモーターを用いたことを特徴とする送風機。
【発明の詳細な説明】
【０００１】
【発明の属する技術分野】
この発明はプラスチックマグネットを軸に一体成形してローターを構成したモーターに関するものである。
【０００２】
【従来の技術】
従来の軸にプラスチックマグネットを一体成形したモーターは軸にローレット加工して綾目状の凹凸を設け一体成形されていた。（例えば、特許文献１参照）
【０００３】
【特許文献１】
特開２００２−１０１５８３号公報（第３ページ、第１図）
【０００４】
【発明が解決しようとする課題】
従来のプラスチックマグネットのロータを有するモーターは、軸にローレット加工して凹凸を設けプラスチックマグネットを一体成形して構成しているが、軸とプラスチックマグネットは温度による膨張率が異なり、ローターの温度変化によりローレット加工の凹凸部の角に応力集中が起きプラスチックマグネットに割れが入り軸の固定が緩む課題があった。
【０００５】
【課題を解決するための手段】
軸にプラスチックマグネットを一体成形した構造のロータを有するモーターにおいて、プラスチックマグネットが一体成形されて固着される軸に軸方向に長い凹部又は凸部を設けたものである。
【０００６】
【発明の実施の形態】
実施の形態１．
第１図〜第３図はこの発明の実施の形態を示したもので、図面に基づいて説明する。
モーター１は回転動力を発生させるローター２と、このローター２を回転するためのステーター３と、ローター２を支持する軸受けを有するブラケット４，５で構成されている。
【０００７】
ローター２は軸６と軸６に一体成形されたプラスチックマグネット７から構成されている。軸６のプラスチックマグネット７が固定される部分には軸方向に長い複数の並行な凹凸８が全周に渡って設られている。凹凸８はプラスチックマグネット７が成形された時、凸部はプラスチックマグネット７の中に入り込み、凹部の中にはプラスチックマグネット７の一部が入り込み回転力により空回りしたり抜けることを防ぐものである。
【０００８】
凹凸８は軸方向に長い形状になっているので、プラスチックマグネットが凹部の溝の中に入りやすく凹部を確実に埋めることができ、高い密着強度が得られる。
また、凹凸８の断面形状は凸部８ａの先は軸６の外径６ａより大きく突出しており、凹部８ｂの底は軸の外径より小さくなっている。凸部の角８ｃはＲ状の丸みとなっており、また、長手方向の端部８ｄの角もＲ状の丸みとして、プラスチックマグネット７が成形される時凹部に入りやすく、また、成形後冷却収縮した時に応力集中を防いでいる。
なお、別の実施形状として、凹凸８の形状を軸の外径６ａに凸部８ａ又は凹部８ｂの片方のみを形成し、その角にＲ状の丸みを設けることも同様な作用効果が得られる。
【０００９】
また、軸６に固着されるプラスチックマグネット７のボス部９は凹凸８の部分を完全に覆い形成されている。特に、ボス部９の端面９ａの位置は凹凸８の端部８ｄからの距離がボス部９の外径から内径を引いた径方向の厚み以上の長さを確保する位置に形成されている。
このように、ボス部９の端面９ａの凹凸８からの位置をボス部の厚み以上にすることにより、凹凸８の端部に近いプラスチックマグネット７のボス部は材質的に強度の高い部分が形成され、応力集中による割れが入り難くなり、強度の高いボス部が得られる。また、これにより軸方向に作用する力に対しても高い強度が得られる。
【００１０】
このように軸６に軸方向に長い形状の凹凸８を設け、その角に丸みを持たせることにより、プラスチップラスチックマグネット７のボス部クマグネットと軸の固着が強固になり、また、応力集中を防ぐことにより、モーターを運転し停止して温度変化を繰り返し与えても、応力集中によるプラスチックマグネットの割れを防止することができ長寿命の製品が提供できる。
【００１１】
実施の形態２．
実施の形態１又は２のモータを換気扇、換気装置、空調装置、暖房装置等の送風機に用いれば、繰り返しヒートサイクルを受けても安定した長寿命の送風装置が得られる。
【００１２】
【発明の効果】
以上、説明したように本発明は、軸とプラスチックマグネットの固着が強固に安定しているので、モーターの長寿命化を図ることができる効果がある。
【図面の簡単な説明】
【図１】本発明のモーター断面図である。
【図２】本発明のローターの断面図である。
【図３】本発明の軸に設けられた複数の並行凹凸部の拡大図である。
【符号の説明】
２  ローター、  ６  軸、  ７  プラスティックマグネット、  ８  凹凸。
【図１】
2005020974.tif 000003
【図２】
2005020974.tif 000004
【図３】
2005020974.tif 000005
(57)【要約】【課題】今までのデザインアルバムは３５ｍｍカメラからの作成のため、素材不足でいいショットが少なく、制作内容に限界が多かった。又パターンにはめ込む形の為、オリジナリティに欠けていた。【解決】デジタルビデオの映像である、１秒３０フレームから最良のショットを選別し、更に映像から内容を把握した上で、和文のタイトルとして挿入したり、会話、言葉、動きをテロップとして挿入するデザインやデジタルビデオならでの連続性をいかした校正で、よりオリジナリティのあるデザインアルバムを制作。【選択図】図１
2005020517.tif 000002
【特許請求の範囲】
【請求項１】
デジタルビデオ映像を使用したことを特徴とするデザインアルバム
【請求項２】
和文を取り入れたことを特徴とする請求項１記載のデザインアルバム
【請求項３】
デジタルビデオで収録された内容をデザインに取り入れたことを特徴とする請求項１記載のデザインアルバム
【発明の詳細な説明】
【０００１】
この発明は、デジタルビデオ映像をデザインアルバムに制作することに関する。
【０００２】
【従来の技術】
従来のデザインアルバムは、図２のように３５ｍｍカメラ５から制作されたものである。
【０００３】
【発明が解決しようとする課題】
しかしながら、以上の従来技術によれば、写真からではより良いショットを選別するにもショット数が少なく、限界があった。そこで、この発明は、デジタルビデオ映像の１秒３０フレームからいいショットを抜き出せることにより、より感動を呼び起こすショットを選別したデザインアルバムを提供することを課題とする。
【０００４】
【課題を解決するための手段】
以上の課題を解決するために、請求項１の発明は、デジタルビデオ映像を使用したことを特徴とするデザインアルバムである。
また、請求項２の発明は、和文を取り入れたことを特徴とするデザインアルバムである。
また、請求項３の発明は、デジタルビデオで収録された内容をデザインに取り入れたことを特徴とするデザインアルバムである。
【０００５】
【発明の実態の形態】
この発明の一実施形態を、図１に示す。
デジタルビデオ１で収録された内容を、パソコン２に取り込み、画像選択、画像修正並びに補正を行う。更にパソコン２上で、デジタルビデオ１の収録内容からイメージしたデザインを考え、先に述べた画像と合わせデザインし、校正を組み立てる。校正完了した物をプリンター３で印刷し、薄型ラミネートを紙面に貼り、製本し、デザインアルバム４を作成する。
【０００６】
【実施形態の効果】
この実施形態によれば、デジタルビデオ１の映像の１秒３０フレームという中から、いいショットを選ぶことができる。又デザインの校正時にデジタルビデオ１の映像から内容を的確に把握でき、それをいかしてデザイン並びに校正を考えられる。したがって感動を呼ぶデザインアルバム４ができる。
【０００７】
【他の実施形態】
図１の実施形態では、単にパソコン２でデザインを巾広く考えるものであったが、他の実施形態では、デザインを主に和文の言葉で表現したり、又デジタルビデオ１に収録された内容から、実際に収録された会話、言葉、動きをテロップとして挿入する。
【０００８】
【発明の効果】
以上説明したように、この発明によれば、より感動を呼ぶデザインアルバムが制作できる。
【０００９】
又個々の内容に即しているので、よりオリジナリティのある物が制作できる。
【図面の簡単な説明】
【図１】この発明の一実施形態を示す制作方法を表したものです。
【図２】従来の制作方法を表したものです。
【符号の説明】
１  デジタルビデオ              ２  パソコン
３  プリンター                  ４  デザインアルバム
５  ３５ｍｍカメラ
【図１】
2005020517.tif 000003
【図２】
2005020517.tif 000004
(57)【要約】【課題】番組表を表示し、カーソルなどで番組表を検索している場合、現在視聴している番組の番組名が分からなくなる。【解決手段】番組表表示画面１００において、リモートコントローラの上下左右ボタンによりカーソル１０４で選択された番組セル１０５の番組名やチャンネルおよび放送時間をそれぞれ番組名表示欄１０６やチャンネル表示欄１０７および放送時間表示欄１０８に表示すると同時に、現在視聴している番組の番組セル１０９に色をつけて表示することにより、ユーザは現在視聴している番組を認識することができる。【選択図】  図１
2005020245.tif 000002
【特許請求の範囲】
【請求項１】
番組受信システムにおいて、番組表表示モードに切換えて番組表表示画面を表示しカーソルを移動して番組を選択する手段と、現在視聴している番組に色をつけて表示する手段とを備えた番組受信表示装置。
【請求項２】
番組表表示画面に加えて現在視聴している番組を子画面で表示する手段と、前記番組表表示画面の現在視聴している番組につけられた色と同様の色を前記子画面の外枠の色として表示する手段とを備えたことを特徴とする請求項１記載の番組受信表示装置。
【発明の詳細な説明】
【０００１】
【発明の属する技術分野】
本発明は、番組情報が付加された映像信号を受信する映像受信機などの番組受信表示装置に関するものである。
【０００２】
【従来の技術】
従来、電子番組表において番組を選択する場合、カーソルまたはポインティングデバイスなどで選択する（例えば特許文献１参照）。
【０００３】
【特許文献１】
特開平９−２７０９６９号公報（第５項、第３図）
【０００４】
【発明が解決しようとする課題】
しかしながら、選択された番組はカーソルまたは色付けされることで選択されていることを認識することはできるが、番組を選択することが主目的となっているため、映像受信機などによって現在視聴している番組がどれなのかを番組表から認識することはできない。
【０００５】
【課題を解決するための手段】
前記課題を解決するために、本発明の番組受信表示装置では、番組表において現在視聴している番組に特定の色をつけることにより、現在視聴している番組を識別することができる。
【０００６】
また、番組表と同時に現在視聴している映像信号を子画面で表示し、その子画面の外枠の色を番組表に表示された現在視聴している番組の色と同様の色とすることにより、子画面に表示された映像信号が番組表に色付けされた番組であると直感的に識別することができる。
【０００７】
【発明の実施の形態】
（実施の形態１）
以下に、本発明の請求項１に記載された発明の実施形態について、図１と図２を用いて説明する。
【０００８】
図１において、１００は番組表を表示する番組表表示画面である。１０１は番組表の時間帯を示す時間帯表示欄である。１０２は番組チャンネルを示すチャンネル表示欄である。１０３は個々の番組名を表示する番組セルである。１０４は番組セルを選択するカーソルである。１０５は番組セル１０３の中でカーソル１０４により選択された選択番組セルである。１０６は選択番組セル１０５の番組名を表示する番組名表示欄である。１０７は選択番組セル１０５のチャンネルを表示する選択チャンネル表示欄である。１０８は選択番組セル１０５の番組放送時間を示す放送時間表示欄である。１０９は番組セル１０３の中で現在視聴している番組として色付けされた視聴番組セルである。
【０００９】
かかる構成によれば、図２において表示された番組表表示画面１００を番組表表示モードにした場合の初期画面とする。この場合、番組２Ａの番組セル１０３は、現在視聴している番組であるためその背景が例えば青色に色付けされた視聴番組セル１０９として表示される。同時に番組２Ａはカーソル１０４が選択しているため選択番組セル１０５でもある。したがって、番組名表示欄１０６には番組２Ａの番組名が表示され、選択チャンネル表示欄１０７には２が表示され、さらに放送時間表示欄１０８には番組２Ａの放送時間である１２：００〜１２：５４が表示される。つぎに、リモートコントローラの右ボタンを３回押し、下ボタンを１回押すと図１に示すように、カーソル１０４は番組８Ｂの番組セル１０３を選択しそれが選択番組セル１０５となる。したがって、番組名表示欄１０６には番組８Ｂの番組名が表示され、選択チャンネル表示欄１０７には８が表示され、さらに放送時間表示欄１０８には番組８Ｂの放送時間である１３：００〜１３：５４が表示される。しかし番組２Ｂの番組セル１０３は現在視聴している番組であるため視聴番組セル１０９として背景が青色に色付けされて表示されるため、現在視聴している番組の番組名を識別することができる。
【００１０】
（実施の形態２）
以下に、本発明の請求項２に記載された発明の実施形態について、図３を用いて説明する。
【００１１】
図３において、１００から１０９は実施例１と同じである。３１０は現在視聴している番組の映像を表示する子画面である。
【００１２】
かかる構成によれば、番組表表示画面１００と子画面３１０が同時に表示されている場合、番組表表示画面１００の動作は実施例１と同様である。一方、子画面３１０はその外枠を例えば青色の枠で表示する。これにより、子画面３１０に表示されている番組が番組表表示画面１００に青色で色付けされている視聴番組セル１０９の番組であると直感的に認識することができる。
【００１３】
なお、実施例１と実施例２において視聴番組セル１０９の背景は青色に色付けされるとしたが、カーソル１０４と区別できるのであれば別の色でもよく、さらに認識を高めるために、視聴番組セル１０９は点滅してもよい。同様に、実施例２において子画面３１０の外枠の色は視聴番組セル１０９と同一と認識できる色であればよい。さらに、実施例１および実施例２において番組表表示画面１００に表示されている内容として現在の時間や日付など番組表として有用な情報を表示してもよい。
【００１４】
【発明の効果】
以上のように本発明によれば、視聴番組セル１０９を色付けすることにより、番組表表示画面１００で番組を探索しながら現在視聴している番組の番組名を認識することができる効果がある。
【図面の簡単な説明】
【図１】本発明の実施の形態１における番組受信表示装置の操作中の画面表示構成図
【図２】本発明の実施の形態１における番組受信表示装置の初期画面表示構成図
【図３】本発明の実施の形態２における番組受信表示装置の画面表示構成図
【符号の説明】
１００  番組表表示画面
１０１  時間帯表示欄
１０２  チャンネル表示欄
１０３  番組セル
１０４  カーソル
１０５  選択番組セル
１０６  番組名表示欄
１０７  選択チャンネル表示欄
１０８  放送時間表示欄
１０９  視聴番組セル
【図１】
2005020245.tif 000003
【図２】
2005020245.tif 000004
【図３】
2005020245.tif 000005
(57)【要約】【課題】電子番組表において、カーソルなどで番組を選択しその番組の詳細情報を表示する場合、番組表の表示形態が変動する。【解決手段】番組表表示画面１００において、カーソル１０５で選択した番組セル１０３の詳細情報をその表示枠内で横または縦方向にスクロール表示することにより、番組表の表示形態を維持することができる。さらに、短い番組に関しては、番組表上で番組名など文字表示せずに、番組表の枠を太線にして表示する。【選択図】  図１
2005020246.tif 000002
【特許請求の範囲】
【請求項１】
番組受信システムにおいて、番組表表示モードに切換えて番組表表示画面を表示しカーソルまたはポインティングデバイスを移動して番組を選択する手段と、前記カーソルで選択された番組の番組名や番組の詳細情報を横または縦方向にスクロールして表示する手段とを備えた番組表表示装置。
【請求項２】
カーソルまたはポインティングデバイスで選択した番組と同様のジャンルの番組の詳細情報を横または縦方向にスクロールして表示する手段を備えたことを特徴とする請求項１記載の番組表表示装置。
【請求項３】
短番組を表示する際に、番組名まで表示せず、太線で表示する手段を備えたことを特徴とする請求項１記載の番組表表示装置。
【発明の詳細な説明】
【０００１】
【発明の属する技術分野】
本発明は、番組情報が付加された映像信号を受信する映像受信機などの番組受信表示装置に関するものである。
【０００２】
【従来の技術】
従来の番組表示装置として、電子番組表において所望の番組にカーソルまたはポインティングデバイスを合わせマウスボタンなどでクリックし選択した場合、番組表全体の表示形態を保持しつつ、選択された番組またはそのチャンネル全ての番組の外枠を拡大し番組の詳細情報を表示するものがある（例えば特許文献１参照）。
【０００３】
【特許文献１】
特開平１１−１５５１１０号公報（第１項、第６図）
【０００４】
【発明が解決しようとする課題】
しかしながら、従来の番組表表示装置では選択された番組またはそのチャンネルの番組の外枠が拡大され、さらには選択された番組の詳細情報の情報量によって外枠の大きさが異なるため、カーソルを移動し選択するたびに番組表内の番組表示枠が変動しユーザにとって見づらい番組表となる。
【０００５】
【課題を解決するための手段】
前記課題を解決するために、本発明の番組表表示装置では、番組表においてカーソルまたはポインティングデバイスにより選択した番組の詳細情報を現状の番組の表示領域のまま横または縦方向にスクロールして表示することにより、番組表の表示の変動をなくすことができる。
【０００６】
また、選択した番組だけでなくその番組と同じジャンルの番組の詳細情報を横または縦方向にスクロールすることにより同じジャンルの番組を直感的に認識することができる。
【０００７】
【発明の実施の形態】
（実施の形態１）
以下に、本発明の請求項１に記載された発明の実施形態について、図１と図２および図３を用いて説明する。
【０００８】
図１において、１００は番組表を表示する番組表表示画面である。１０１は番組表の時間帯を示す時間帯表示欄である。１０２は番組チャンネルを示すチャンネル表示欄である。１０３は個々の番組を表示する番組セルである。１０４は放送時間が短い番組を示す短番組セルである。１０５は番組セル１０３または短番組セル１０４を選択するカーソルである。
【０００９】
かかる構成によれば、図１において表示された番組表表示画面１００を番組表表示モードにした場合の表示画面とする。この場合、カーソル１０５で選択されていない番組セル１０３は、個々の番組名を番組セル１０３の表示領域内で表示し、表示しきれない番組名は番組名の後半を・・などで表示する。また、短番組セル１０４については、番組名を表示せず太線で表示する。一方、カーソル１０５で選択された番組セル１０３は、図２に示すようにカーソル１０５で選択されている間、番組名や放送時間および番組内容などを順に左方向にスクロールして表示しそれを繰り返す。またカーソル１０５が短番組セル１０４を選択している場合は、図３の２０５に示すように番組情報を表示する短番組表示欄が番組表表示画面１００に上書き表示され、その短番組表示欄２０５にはカーソル１０５があたっている間図２に示すように番組名や放送時間および番組内容を順に左方向にスクロールして表示する。このように本実施例１では番組表表示画面１００の表示形態を損なうことなくカーソル１０５で選択した番組の詳細情報を認識することができる。
【００１０】
（実施の形態２）
以下に、本発明の請求項２に記載された発明の実施形態について、図４を用いて説明する。
【００１１】
図４において、１００から１０５は実施例１と同じである。３０６と３０７はカーソル１０５で選択された番組セル１０３と同じジャンルの番組セルである同ジャンル番組セルである。
【００１２】
かかる構成によれば、カーソル１０５で選択された番組セル１０３は図２に示すように番組名や放送時間および番組内容が順に左方向にスクロール表示されると同時に、同ジャンル番組セル３０６、３０７も同様にその番組名や放送時間及び番組内容が順に左方向にスクロール表示される。このように本実施例２では、カーソル１０５で選択した番組セル１０３と同じジャンルの番組を直感的に認識することができる。
【００１３】
なお、実施例１と実施例２においてカーソル１０５で選択された番組セル１０３や短番組セル１０４および同ジャンル番組セル３０６、３０７は左方向にスクロールするとしたが、上方向にすくロースしてもよい。また番組表表示画面１００は横方向がチャンネル、縦方向が時間としたがその逆であってもよい。
【００１４】
【発明の効果】
以上のように本発明によれば、選択された番組セル１０３や短番組表示欄２０５および同ジャンル番組セル３０６、３０７の表示領域内で番組名やその詳細情報をスクロール表示することにより、番組表表示画面１００の各番組セル１０３の表示領域を固定することができる効果がある。また、番組の詳細情報を１行で表示することができるため、より多くの時間帯またはチャンネルを表示することが可能となるという効果がある。
【図面の簡単な説明】
【図１】本発明の実施の形態１における番組表表示装置の画面表示構成図
【図２】本発明の実施の形態１における番組の詳細情報表示の流れ図
【図３】本発明の実施の形態１における短番組セルが選択された場合の番組表表示装置の画面表示構成図
【図４】本発明の実施の形態２における番組表表示装置の画面表示構成図
【符号の説明】
１００  番組表表示画面
１０１  時間帯表示欄
１０２  チャンネル表示欄
１０３  番組セル
１０４  短番組セル
１０５  カーソル
【図１】
2005020246.tif 000003
【図２】
2005020246.tif 000004
【図３】
2005020246.tif 000005
【図４】
2005020246.tif 000006